(57)【要約】      （修正有）【課題】上面に設けた透光性を有する白色板の下方から照明を当てる構成を有する検査台において、上面の白色板の温度上昇を低減させる検査台を提供する。【解決手段】検査台Ｘとして、上方が開放した箱体からなる筐体１０と、前記筐体の上面に設けられる透光性を有する白色の板からなる上面板２０と、前記筐体内に設けられ前記上面板を照らすように設置されるランプ４０と、前記前記ランプに向かって風を当てる冷却ファン５０と、前記冷却ファンの吸気口となる前記筐体に設けられる吸気ダクト１２と、前記上面板と前記筐体との境界近傍に設けられる複数の穴からなる排気路とを設ける。【選択図】図２
0003186265.tif 000002
【実用新案登録請求の範囲】
【請求項１】
上方が開放した箱体からなる筐体と、
前記筐体の上面に設けられる透光性を有する白色の板からなる上面板と、
前記筐体内に設けられ前記上面板を照らすように設置されるランプと、
前記前記ランプに向かって風を当てる冷却ファンと、
前記冷却ファンの吸気口となる前記筐体に設けられる吸気ダクトと、
前記上面板と前記筐体との境界近傍に設けられる複数の穴からなる排気路と
を有する検査台。
【請求項２】
前記上面板の下面には、透明もしくは透光性を有する、紫外線を遮蔽する板体からなる紫外線遮蔽板が設けられ、
前記排気路は前記上面板と前記筐体との境界近傍に設けられることに代えて、前記紫外線遮蔽板と前記筐体との境界近傍に設けられる
請求項１に記載の検査台。
【請求項３】
前記吸気ダクトは前記筐体の下面に設けられ、前記冷却ファンは前記ランプに下方から風を当てるものである請求項１又は２に記載の検査台。
【考案の詳細な説明】
【技術分野】
【０００１】
本考案は検査対象物に光を当てて、視覚的に検査対象物の表面等を検査するために使用する検査台に関する。
【背景技術】
【０００２】
従来、商品等に傷などが無いかを調べるために、作業員が目視で商品等を検査することが行なわれている。この検査は、多くの場合、室内照明下で行なわれるが、光量が不十分等の理由から下記特許文献１に記載の考案のように、透光性を有する白色板を台として下から照明を当てる検査台が用いられている。
また、このような検査台は照明器具が熱くなることから、下記特許文献２に示すように照明器具を冷却することも行なわれている。
【先行技術文献】
【特許文献】
【０００３】
【特許文献１】特開2006-162438号公報
【特許文献２】特開2000-243285号公報
【考案の概要】
【考案が解決しようとする課題】
【０００４】
しかしながら、検査台の照明を冷却しても、照明の熱気が上方に上がり、上部に位置する白色板の裏面に熱が溜まることで白色板の温度が高くなってしまうことがある。このように白色板の温度が高くなると、生鮮食品などを検査する場合、検査対象の品質を落としてしまうことがある。
本考案は、このような問題に鑑みて、上面に設けた透光性を有する白色板の下方から照明を当てる構成を有する検査台において、上面の白色板の温度上昇を低減させることを課題とする。
【課題を解決するための手段】
【０００５】
上記課題を解決するために、本考案は次のような構成を有する。
請求項１に記載の考案は、上方が開放した箱体からなる筐体と、前記筐体の上面に設けられる透光性を有する白色の板からなる上面板と、前記筐体内に設けられ前記上面板を照らすように設置されるランプと、前記前記ランプに向かって風を当てる冷却ファンと、  前記冷却ファンの吸気口となる前記筐体に設けられる吸気ダクトと、前記上面板と前記筐体との境界近傍に設けられる複数の穴からなる排気路とを有する検査台である。
請求項２に記載の考案は、前記検査台において、前記上面板の下面には、透明もしくは透光性を有する、紫外線を遮蔽する板体からなる紫外線遮蔽板が設けられ、前記排気路は前記上面板と前記筐体との境界近傍に設けられることに代えて、前記紫外線遮蔽板と前記筐体との境界近傍に設けられるのである。
請求項３に記載の考案は、前記検査台において、前記吸気ダクトは前記筐体の下面に設けられ、前記冷却ファンは前記ランプに下方から風を当てるものである。
【考案の効果】
【０００６】
以上のような構成により、本考案は次のような効果を奏する。
請求項１に記載の考案は、上面板近傍に複数の穴からなる排気路を設けたので、冷却ファンから送られる空気が当該排気路から抜けることにより、排気路に近い上面板裏面に沿った気流が発生するので上面板の裏面に達した熱気もこの気流によって排気路から外部へと排出されることｔなる。従って、上面板の温度が上がりにくく、生鮮食品などの温度に弱い検査対象に対しても品質の劣化を抑えながら検査を行なうことができる。
請求項２に記載の考案は、上面板の裏面に紫外線遮蔽板を設けることで、紫外線遮蔽板により熱が上面板に伝わりにくくなるので、さらに上面板の温度上昇を抑えることができるとともに、検査者が紫外線により目を傷めることを抑制することができる。また、紫外線遮蔽板と上面板とを接触させると上面板が補強されるので上面板を薄くすることができ、紫外線遮蔽板と上面板とを非接触状態とするとより断熱効果を高めることができる。
請求項３に記載の考案は、ランプ下方から風を当てることで照明を遮ることなく、ランプを均等に冷却することができ、また、筐体内に強制的な上昇流を作ることで排気路からのスムーズに空気を排出することができる。
【図面の簡単な説明】
【０００７】
【図１】実施形態に係る検査台の斜視図である。
【図２】実施形態に係る検査台の一部破断分解斜視図である。
【図３】実施形態に係る検査台の縦断面図である。
【考案を実施するための形態】
【０００８】
以下、本考案の実施の形態について、図面を参照しながら説明する。
図１に本実施形態に係る検査台Ｘの斜視図を示し、図２に検査台Ｘの一部破断分解斜視図を示し、図３に検査台Ｘの縦断面図を示す。
検査台Ｘは、筐体１０、上面板２０、紫外線遮蔽板３０、ランプ４０、ファン５０を有する。筐体１０はやや上方側が大きく形成される上面に長方形状の開口が形成された箱体である。筐体１０の上縁には全周に渡って外フランジ１１が形成されるとともに、外フランジ１１上に、合成樹脂製の突起１１ａが一定間隔で固定されている。筐体１０の下面中央には四角い開口が形成されるとともに、下面から下方に突出する角筒の吸気ダクト１２が開口部分に固定されている。また、筐体１０の下面には、角パイプを組み合わせて形成した脚ユニット１３が固定されている。
【０００９】
紫外線遮蔽板３０は、紫外線の透過を抑制する加工が施された透明な長方形状の合成樹脂板からなる遮蔽板本体３１と、遮蔽板本体３１の外周縁から下垂するように固定される枠部３２とから構成される。枠部３２が固定された遮蔽板本体３１の内側の大きさは、筐体１０の外フランジ１１よりもやや大きくなるように形成されており、紫外線遮蔽板３０は筐体１０の外フランジ１１上面に嵌ることで固定される。そして、外フランジ１１の上面には突起１１ａが等間隔で設けられているので、外フランジ１１と遮蔽板本体３１裏面との間には隙間ができ、外フランジ１１よりも遮蔽板本体３１の裏面はやや大きく形成されているので枠部３２内側と外フランジ１１側面との間にも隙間ができるので、突起１１ａ同士の間は外気と連通する開口を形成することとなる。この開口が筐体１０内の空気を外部へ排出する排気路となる。
【００１０】
上面板２０は、透光性を有する乳白色の合成樹脂の板体からなる乳白色板本体２１と、乳白色板本体２１の両端部に固定される細長い板体からなる位置決め板２２とから構成される。乳白色板本体２１の大きさは、紫外線遮蔽板３０上面の大きさとほぼ同じであり、両位置決め板２２の間に紫外線遮蔽板３０の両端を挟むようにして上面板２０を置くことで、上面板２０を紫外線遮蔽板３０上に固定することができる。
ランプ４０は、筐体１０内部の下面に一定の隙間を空けて固定される扁平なランプである。ランプ４０は扁平な直方体状の筐体内にＬＥＤをマトリックス状に配置した発光部が固定されるものであって、上面には透光性を有する乳白色板が設けられることで、筐体上面側にほぼ均等に光を照射することができる。
ファン５０は、筐体１０の吸気ダクト１２内上端に固定されるモーターファンであり、吸気ダクト１２から空気を取り入れて、ランプ４０に対して風を当ててランプ４０を冷却するものである。
【００１１】
以上のような構成を有する検査台Ｘは、使用に際しては従来の検査台と同様に、ランプ４０から光を照射して、上面板２０に検査対象物を置いて、検査者が目視で検査対象を検査する。この際、ランプ４０はファン５０からの風を受けて冷却されるとともに、ファン５０により吸気ダクト１２から流入した空気は、排気路となる筐体１０の突起１１ａ同士の間から外部に流出する。突起１１ａにより形成される排気路は紫外線遮蔽板３０の遮蔽板本体３１の下面に一致した高さに形成されるので排気路から空気が流出することで、遮蔽板本体３１に沿って空気の流れが発生する。これにより、ランプ４０により温められて遮蔽板本体３１至った空気は、この空気の流れに乗って外部へと排出されることとなる。さらに、検査対象物が載っている上面板２０とランプ４０との間に紫外線遮蔽板３０が設けられることで、検査対象物が載っている上面板２０まで熱が伝わりにくくなる効果と相まって、検査対象物がランプ４０の熱により劣化することが抑制される。
また、紫外線遮蔽板３０を設けることで、紫外線により検査者の目が痛むことが予防できる。さらに、紫外線遮蔽板３０は上面板２０を下面から支持して補強するので、高額な乳白色板からなる上面板２０を薄くすることができる。そして、筐体１０内に空気の流れを作ることで筐体内を乾燥した状態にでき、上面板２０と紫外線遮蔽板３０を重ねることで断熱効果が生じるので、ランプ４０を消した状態で室温が低下しても、紫外線遮蔽板３０下面に結露が生じにくい。
【００１２】
なお、上記実施形態では、紫外線遮蔽板３０と上面板２０とは接触するように形成しているが、上面板２０下面もしくは紫外線遮蔽板３０上面の外縁に枠を設ける等により両者の間隔を空けるようにしてもよい。この場合、上面板２０の補強がなくなるが断熱性はより高くすることができる。
また、上記実施形態では、排気路は筐体１０の外フランジ１１に突起１１ａを設けることで形成したが、排気路の形成方法はこれに限定されるものではなく、突起１１ａを設けることに代えて、紫外線遮蔽板３０の内周に側面から外部に連通し、筐体１０の開口縁に載るようなパイプを複数配置するといった構成等、種々の方法を採用することができる。
さらに、ランプ４０は上記実施形態に示すものに限られず適宜変更可能であり、筐体を設けずにＬＥＤが配された基板のみを配置するようなものでもよい。
【符号の説明】
【００１３】
Ｘ  検査台
１０  筐体
１２  排気ダクト
２０  上面板
３０  紫外線遮蔽板
４０  ランプ
５０  ファン
【図１】
0003186265.tif 000003
【図２】
0003186265.tif 000004
【図３】
0003186265.tif 000005